(57)【特許請求の範囲】
【請求項１】
ペットの糞を入れる用便袋をステッキ形状の棒部に着脱自在に取り付け可能なペット用携帯トイレにおいて、ペット用用便袋を着脱自在に取り付け可能な略三角形状の枠体と、枠体が回動自在に取り付けられ、棒部の下側に固定される当該枠体の蓋となる蓋部とを有し、当該蓋部は棒部への取り付け位置を調整可能な固定部を有することを特徴とするペット用携帯トイレ。
【請求項２】
請求項１に記載のペット用携帯トイレにおいて、前記枠体には紐が取り付けられ、この紐を引っ張ることにより当該枠体を蓋部に向かって回動した後、前記枠体が前記蓋部から離れないように係着する係着部材を有することを特徴とするペット用携帯トイレ。
【請求項３】
請求項１または２に記載のペット用携帯トイレにおいて、前記係着部材は、棒部の上端に取り付けられたレバーに連動して動くものであって、凹部とこれと嵌合する凸部とにより形成され、枠体と蓋部とにそれぞれが取り付けられていることを特徴とするペット用携帯トイレ。
【請求項４】
請求項１から３のいずれかに記載のペット用携帯トイレにおいて、前記棒部の下端には車輪が取り付けられていることを特徴とするペット用携帯トイレ。
【発明の詳細な説明】
【技術分野】
【０００１】
本発明はペット用携帯トイレ、より具体的にはペット犬等のペットと散歩したときに持ち運び可能なペット用携帯トイレに関する。
【背景技術】
【０００２】
近年、周知のように、ペット数は増加の一途を辿っており、その種類や飼い方も以前とは大分違っている。例えば、ペット犬の場合、番犬として家の外で飼うのではなく、家の中で家族の一員として飼う傾向が特に都心では高くなっている。ペット犬の場合、例え家の中で飼っていても散歩に行って運動させることは必要であり、そのときにペット犬がおしっこや排便をすることが多い。
【０００３】
このため、飼い主は散歩に出かけるときには排便用にビニール袋等の用便袋を携帯し、地面に落ちた糞を用便袋に入れて持ち帰っている。この場合、道路に落ちた排便を用便袋に入れることになるのでどうしても道路が汚れてしまうという問題があった。このため、例えば特許文献１や２には道路に排便が落ちる前にキャッチすることで道路が汚れることが無いペット用携帯トイレが開示されている。
【０００４】
【特許文献１】特開２００２−４５０７３
【特許文献２】特開２００３−３１００８５
【発明の開示】
【発明が解決しようとする課題】
【０００５】
しかしながら、上記従来技術に記載されたペット用携帯トイレでは、操作性が悪く、持ち運びに不便であるという問題があった。また、ペット犬の成長に合わせて高さが調節できないため、大きくなった場合には買い換えなければならなくなることもあった。さらに、例えば車椅子に乗ってペット犬の散歩を行う場合、持ち運びが大変負担になるという問題もあった。
【０００６】
本発明はこのような従来技術の課題を解決し、操作性や持ち運びが便利で犬の成長に合わせて調整可能であり、例えば車椅子で散歩する場合でも持ち運びが負担にならない優れた構造のペット用携帯トイレを提供することを目的とする。
【課題を解決するための手段】
【０００７】
本発明は上記課題を解決するための手段として、請求項１に記載された発明は、ペットの糞を入れる用便袋をステッキ形状の棒部に着脱自在に取り付け可能なペット用携帯トイレにおいて、ペット用用便袋を着脱自在に取り付け可能な略三角形状の枠体と、枠体が回動自在に取り付けられ、棒部の下側に固定される当該枠体の蓋となる蓋部とを有し、当該蓋部は棒部への取り付け位置を調整可能な固定部を有するペット用携帯トイレであることを特徴とする。
【０００８】
請求項２に記載された発明は、請求項１に記載のペット用携帯トイレにおいて、前記枠体には紐が取り付けられ、この紐を引っ張ることにより当該枠体を蓋部に向かって回動した後、前記枠体が前記蓋部から離れないように係着する係着部材を有するペット用携帯トイレであることを特徴とする。また、請求項３に記載された発明は、請求項１または２に記載のペット用携帯トイレにおいて、前記係着部材は、棒部の上端に取り付けられたレバーに連動して動くものであって、凹部とこれと嵌合する凸部とにより形成され、枠体と蓋部とにそれぞれが取り付けられているペット用携帯トイレであることを特徴とする。
【０００９】
また、本発明では、前記棒部の下端には車輪が取り付けられていることが好ましい。
【発明の効果】
【００１０】
本発明のペット用携帯トイレによれば、形状をステッキ形状としたことで持ち運びに優れ、また、用便袋の高さを調整可能としたことで小型犬から大型犬まで幅広く使用可能となる。これにより、犬の成長する過程でも継続して使用可能となる。さらに、ステッキ形状の下端部に車輪を取り付ける構造にすれば、例えば車椅子で散歩に出かける場合でも楽に携帯することができる。
【発明を実施するための最良の形態】
【００１１】
次に添付図面を参照して本発明によるペット用携帯トイレの実施の形態を詳細に説明する。
図１を参照すると、例えば愛犬の散歩に携帯して使用する本発明によるペット用携帯トイレの実施の形態を示すペット用携帯トイレ１の斜視図が示されている。ペット用携帯トイレは略ステッキ形状であり、中空の四角柱形状の棒部１０の上端には、把持部１２と開閉レバー１４とが取り付けられている。なお、棒部１０、把持部１２および開閉レバー１４は、例えば木材、樹脂またはアルミ等の金属で形成可能であり、特にその材質は限定されるものではない。
【００１２】
把持部１２はペット用携帯トイレを持ち運ぶ際に手で持つ把持部であり、開閉レバー１４は後述する用便袋取付枠３０を蓋に係着する係止部２０を上下に移動させるレバーである。なお、開閉レバー１４と係止部２０とは棒部１０の内部でワイヤ等で連結され、開閉レバー１４の動作が係止部２０に伝わる構造になっている。また、係止部２０はスプリング等の付勢部材により常時下側に付勢されている。なお、棒部１０の形状は図１に図示したように四角形状ではなく通常のステッキと同様に円筒形であっても、また多角柱であってもよい。
【００１３】
棒部１０の下端には車輪１６が取り付けられている。車輪１６は例えば差込式キャスタ等であり、同図では特に図示をしていないが回転を止めるストッパが取り付けられているものであってもよい。ストッパを付けることで車椅子で犬を散歩するときには車輪が動くようにし、それ以外のときは車輪を固定することで使用性の向上を図ることができる。
【００１４】
また、棒部１０の下部前面には、ビス１９ａ，１９ｂにより略三角形状の蓋１８が固定されている。蓋１８は用便袋取付枠３０の蓋部であり、ヒンジ３１により回動自在に用便袋取付枠３０が連結されている。用便袋取付枠３０は、蓋１８の外形と同じ略三角形状の枠体であり、その周囲には愛犬の糞を収容する用便袋４０が着脱自在に取付可能となっている。なお、蓋１８および用便袋取付枠３も例えば木材、樹脂またはアルミ等の金属で形成可能であり、特にその材質は限定されるものではない。
【００１５】
用便袋取付枠３０は、愛犬の糞をキャッチする際には図１に示すように蓋１８に対して概ね直角に開き、それ以外の持ち運ぶ際には蓋１８側に回転させて係止部２０により係着する。係止部２０は、先端が下に折れ曲がったＬ字形の係着部であり、蓋１８の頭上に穿孔されたスリット２１を上下に移動する構造になっている。すなわち、前述したレバー１４を握って把持部１２側に動かすと係止部２０がスリット２１上を上に移動し、レバー１４を放して元の位置に戻すと係止部２０がスリット２１の下端に移動する。
【００１６】
また、棒部１０には紐案内環２２ａ〜２２ｄが、用便袋用取付枠３０には紐取付環２３がそれぞれ取り付けられている。紐案内環２２ａ〜２２ｄには、一端にリング２６が取り付けられた紐２４が挿通される。そして、紐２４の他端が用便袋用取付枠３０の左側面に取り付けられた紐取付環２３に結ばれる。このような構造により、リング２６を引っ張れば用便用取付枠３０をヒンジ３１を軸に上方向に回転させることができる。したがって、愛犬の糞を用便袋４０でキャッチした後はリング２６を引っ張って用便袋取付枠３０を回転させて蓋１８に係着することが可能である。
【００１７】
図２は図1に示した蓋１８と用便袋４０が取り付けられていない用便袋取付枠３０を示した部分拡大斜視図である。ヒンジ３１は取付板３１aと取付板３１ｂを備え、ネジ１９ｂにより取付板３１ａが蓋１８に取り付けられているとともに、ネジ３４ａと３４ｂにより取付板３１ｂが用便袋取付枠３０に取り付けられている。
【００１８】
取付板３１ａと取付板３１ｂは回動軸３５により回動自在に軸着され、この回動軸３５の中央にはスプリング３３が挿通されている。スプリング３３は、その両端が取付板３１aに形成された突起３２a，３２ｂに係止され、用便袋取付枠３０が開口する方向に付勢する付勢部材である。
【００１９】
用便袋取付枠３０の周囲には、図２に示すようにほぼ等間隔で図１に示した用便袋４０を取り付けるためのツメ３６a〜３６fが取り付けられている。これらツメ３６は、用便用取付枠３０の内周に溶接等で取り付けられ、その尖った先端が外側に向けて折れ曲げられている。図１に示した用便袋４０を取り付ける場合、ツメ３６の先端で用便袋４０を貫通することで容易に外れないようにしている。
【００２０】
図３および図４は図１に示したペット用携帯トイレ１の操作を示した説明図である。なお、図３および図４に示した説明図は一連の流れを説明するものであるので、符号(a)〜(e)は図番に関係なく連続して付与してある。図３(a)は愛犬の散歩に出かけるときの状態を示したものであり、用便袋４０が取り付けられた用便袋取付枠３０は係止部２０により蓋１８に係着されている。
【００２１】
図３(b)は用便袋取付枠３０を開くときの動作を示したものである。用便袋取付枠３０を開く場合、レバー１４を矢印Ａに示す上方向に動かすことで係止部２０が矢印Ｂに示す上方向に移動し、用便袋取付枠３０から係止部２０が外れて矢印Ｃの方向に回転する。そして、図３(c)に示すように用便袋取付枠３０が約９０度開いた状態で係止する。この図３(c)に示した状態で愛犬のお尻に用便袋取付枠３０を挿入して排便をキャッチする。
【００２２】
図４(d)および図４(e)は用便袋４０に糞が収納された後の動作を示したものである。図４(d)に示すように、用便袋４０に糞が収納された後はリング２６を矢印Ｄの方向に引っ張って用便袋取付枠３０を矢印Ｅの方向に回転させる。そして、用便袋取付枠３０が係止部２０の位置に達したときに、図４(e)に示すように開閉レバー１４を握って矢印Ｆに示す方向に移動して係止部２０を矢印Ｈに示すように上に移動する。係止部２０の移動後、さらにリング２６を矢印Ｇの方向に引っ張って用便袋取付枠３０が蓋１８に達したときに開閉レバー１４を離す。これにより、係止部２０が元の位置に戻って用便袋取付枠３０を係止するので、用便袋取付枠３０が蓋１８に係着された状態となる。
【００２３】
図５は図１に示したペット用携帯トイレ１の用便袋取付枠３０の高さ調整機構を説明するための側面図である。図５(b)に示すように、棒部１０の下端にはその内径よりも弱冠外径が小さい車輪取付棒１１が挿入されており、この車輪取付棒１１の下端に車輪１６が差し込まれている。車輪取付棒１１はまた、棒部１０の下方背面に配設された蝶ナット１５によって所望の位置で固定できる構造になっており、固定位置を変えることによって用便袋取付枠３０の高さ調整を行う。
【００２４】
具体的には、図５(a)に示すように、用便袋取付枠３０の高さ調整を行う場合、蝶ナット１５を反時計方向に回転させて車輪取付棒１１の固定を解除する。そして、図５(b)に示すように車輪取付棒１１を引き出し、矢印Ｌのように上下に移動させて所望の位置で蝶ナット１５を時計方向に回して車輪取付棒１１を固定する。このようにペット用携帯トイレ１では簡単に用便袋取付枠３０の高さを調整できるので、犬の成長や大きさに合わせた使用が可能となる。
【００２５】
図６は本発明によるペット用携帯トイレの他の実施の形態を示すペット用携帯トイレ２の斜視図である。ペット用携帯トイレ２は、上部が円弧状に折り曲げられた把持部５２を備えたステッキ５０に、ヒンジ６４で連結された蓋６０と用便袋取付枠７０を取り付けた構造になっている。
【００２６】
したがって、ステッキ５０の下端には車輪は装着されておらず、また用便袋取付枠７０も手で開閉するようになっている。なお、蓋６０および用便袋取付枠７０は、図１に示した蓋１８および用便袋取付枠７０と同じ略三角形状である。また、蓋６０、用便袋取付枠７０およびステッキ５０は、例えば木材、樹脂またはアルミ等の金属で形成可能であり、特にその材質は限定されるものではない。
【００２７】
図７はペット用携帯トイレ２の側面図を示したものであり、図７(a)では用便袋取付枠７０を開いた状態を、また図７(b)では閉じた状態をそれぞれ示している。蓋６０には２つの取付部材５４a，５４bが取り付けられ、これらが蝶ナットとボルト等の締め部材５６a，５６bによってステッキ５０に固定される。
【００２８】
図８は用便袋取付枠７０の開閉構造を図示した部分拡大斜視図であり、図８(a)では用便袋取付枠７０を開いた状態を、また図８(b)では閉じた蓋１８に係着させた状態をそれぞれ示している。蓋１８の上部には凹形留め具６２が取り付けられており、また用便袋取付枠７０の先端には凹形留め具６２と嵌合される凸形留め具７２が取り付けられている。
【００２９】
用便袋取付枠７０の内周には用便袋取付枠３０と同様に４つのツメ７４ａ〜７４ｄが左右対称に取り付けられている。これらツメ７４により、貫通して取り付けた用便袋４０が容易に外れないようになっている。図８(a)の状態から図８(b)の矢印Ｍに示すように、用便袋取付枠７０を回転させて凹形留め具６２に凸形留め具７２を嵌合することで、用便袋取付枠７０が蓋６０の係着される。
【００３０】
図９は図６に示したペット用携帯トイレ２の用便袋取付枠７０の高さ調整機構を説明するための側面図である。締め部材５６ａ，５６ｂの蝶ナットをそれぞれ矢印Ｐ１，Ｐ２に示す反時計方向に回転させると、取付部材５４ａ，５４ｂが緩んで矢印Ｑに示すように上下に移動可能となる。したがって、所望の位置で締め部材５６ａ，５６ｂの蝶ナットを時計方向に回転させれば蓋６０と用便袋取付枠７０を固定することができる。
【００３１】
以上、詳細に本発明の実施の形態を説明したが本発明はこれら実施の形態に限定されるものではなく、本発明の精神を逸脱しない変形および修正は本発明の範疇に含まれる。具体的には、ペット用携帯トイレ１と２との主要部の組み合わせを適宜変更したものは本発明の範疇に含まれる。
【図面の簡単な説明】
【００３２】
【図１】本発明によるペット用携帯トイレの実施の形態を示す斜視図。
【図２】図1に示したペット用携帯トイレの蓋１８と用便袋４０が取り付けられていない用便袋取付枠３０とを示した部分拡大斜視図。
【図３】図１に示したペット用携帯トイレの操作を示した説明図。
【図４】図１に示したペット用携帯トイレの操作を示した説明図。
【図５】図１に示したペット用携帯トイレの用便袋取付枠３０の高さ調整機構を説明するための側面図。
【図６】本発明によるペット用携帯トイレの他の実施の形態を示す斜視図。
【図７】図６に示したペット用携帯トイレの側面図。
【図８】図６に示したペット用携帯トイレの用便袋取付枠７０の開閉構造を図示した部分拡大斜視図。
【図９】図６に示したペット用携帯トイレの用便袋取付枠７０の高さ調整機構を説明するための側面図。
【符号の説明】
【００３３】
１，２               
ペット用形態トイレ
１０        棒部
１１        車輪取付棒
１２、５２  把持部
１４        開閉レバー
１５        蝶ナット
１６        車輪
１８、６０  蓋
２０        係止部
２２ａ〜２２ｄ  紐案内環
２３        紐取付環
３０、７０  用便袋取付枠
３１、６４  ヒンジ
３６ａ〜３６ｆ、７４ａ〜７４ｄ  ツメ
４０        用便袋
５０        ステッキ
５４ａ、５４ｂ  取付部材
５６ａ、５６ｂ  締め部材
６２        凹部留め具
７２        凸部留め具
【図１】
0004514227.tif 000002
【図２】
0004514227.tif 000003
【図３】
0004514227.tif 000004
【図４】
0004514227.tif 000005
【図５】
0004514227.tif 000006
【図６】
0004514227.tif 000007
【図７】
0004514227.tif 000008
【図８】
0004514227.tif 000009
【図９】
0004514227.tif 000010